(57)【特許請求の範囲】
【請求項１】
上面板と側面板と下面板とを備えた断面がコ字形のランプリフレクターの内側に冷陰極管を配置すると共に、冷陰極管の両端のランプソケットをランプリフレクターの両端部に固定してランプリフレクターアッセンブリを構成し、液晶パネルの背後に設けられるバックライトユニットの導光板の側端面と該導光板を収容するリアフレームの側板との間に上記ランプリフレクターアッセンブリをその長さ方向に挿入して取付けた液晶モジュールにおいて、
上記ランプリフレクターの両端部の上面板と下面板の少なくとも一方に固定用穴を形成し、これに対応して上記ランプソケットの上面と下面の少なくとも一方に形成した固定用凸部を上記固定用穴に嵌合させると共に、上記ランプリフレクターの側面板の長さ方向両端部の上下中間部分を側面板の両端から側面板の長さ方向に切り欠いて該切り欠き部分の上縁と下縁に相対向させて形成した爪片を、これに対応して上記ランプソケットの上面と下面に該爪片の嵌挿方向に形成した溝形スリットに嵌挿させて、上記ランプソケットを上記ランプリフレクターの両端部に固定し、上記ランプリフレクターの挿入方向後端側の端部に固定された上記ランプソケットの側面に突設した係止爪を、これに対応して上記リアフレームの側板に形成した被係止孔に係止させて、上記ランプリフレクターアッセンブリを取付けたことを特徴とする液晶モジュール。
【請求項２】
上記ランプソケットが、上記ランプリフレクターの端部に嵌め込まれるソケット本体と、このソケット本体から側方に張り出す張出部とを一体に形成し、このソケット本体と張出部との境界部分の上面と下面に上記溝形スリットを形成したものであることを特徴とする請求項１に記載の液晶モジュール。
【請求項３】
上記溝形スリットの片方の端部が、上記爪片を溝形スリットに嵌挿したときに上記爪片を当止する閉塞端部となっていることを特徴とする請求項１又は請求項２のいずれかに記載の液晶モジュール。
【請求項４】
上記ランプリフレクターの挿入方向後端側の端部に固定されるランプソケットが、該端部に嵌め込まれるソケット本体と、このソケット本体から側方に張り出す張出部とを一体に形成して、ソケット本体と張出部との境界部分の上面と下面に上記溝形スリットを形成すると共に、張出部の側面に上記係止爪を突設したものであることを特徴とする請求項１に記載の液晶モジュール。
【発明の詳細な説明】
【技術分野】
【０００１】
本発明は、導光板の側方にランプリフレクターアッセンブリを備えたサイドエッジライト方式のバックライトユニットを液晶パネルの背後に設けた液晶モジュールに関し、特に、ランプリフレクターアッセンブリに改良を加えた液晶モジュールに関する。
【背景技術】
【０００２】
従来のこの種の液晶モジュールは、ランプリフレクターの内側に冷陰極管を配置すると共に冷陰極管の両端のランプソケットをランプリフレクターの両端部に固定してランプリフレクターアッセンブリを構成し、液晶パネルの背後に設けられるバックライトユニットの導光板の側端面と該導光板を収容するリアフレームの側板との間に上記ランプリフレクターアッセンブリを挿入して、ランプリフレクターを止具（ビス）でリアフレームに取付固定している。そして、ランプリフレクターの両端部へのランプソケットの固定は、ランプリフレクターの両端部の上面板と下面板に固定用穴を形成し、これに対応してランプソケットの上面と下面に形成した固定用凸部を上記固定用穴に嵌合させることで行っている。
【０００３】
また、液晶モジュール内に組み込まれる照明装置において、上記と同様に、ソケット本体の上面と下面に係止突起を突設すると共に、これに対応してランプリフレクター両端部の上面板と下面板に係止孔を形成し、この係止孔に上記の係止突起を嵌入させることによって、ソケット本体を位置決めしてランプリフレクターの両端部に取付けたものが知られている（特許文献１）。
【０００４】
そして、管状光源とリフレクタとで成り、液晶表示ユニットのバックライト用として使用される照明装置において、管状光源の両端のソケットの外周に環状溝を形成し、このソケットをリフレクタに形成された取付穴に挿入して取付穴の周縁部を環状溝に嵌め込むことにより、ソケットを位置決めしてリフレクタに取付けたものも知られている（特許文献２）。
【０００５】
更に、２以上の辺にランプリフレクタが配置された液晶表示装置のランプリフレクタ端部同士が同一平面上で対向するように隣接するコーナー部において、ランプリフレクタ端部が各々対向するように凹部を有することにより、２個のランプリフレクタを同時に１本のネジで金属ケースに固定したものも知られている（特許文献３）。
【０００６】
また、液晶表示装置を構成するモールドフレームとランプカバーとの固着構造として、ランプカバーの一部に突出部を形成すると共に、モールドフレームの突出部相当位置に受け孔を設け、この受け孔に突出部を通して突出部の先端をかしめるようにしたものも知られている（特許文献４）。
【特許文献１】特開２００６−１４７４３５号公報
【特許文献２】実開平４−３３０７６号公報
【特許文献３】特開２００５−２４３４８５号公報
【特許文献４】特開２００１−１４７４２２号公報
【発明の開示】
【発明が解決しようとする課題】
【０００７】
しかしながら、上述した従来の液晶モジュールは、ランプリフレクターの両端部に冷陰極管の両端のランプソケットを嵌め込み、ランプソケットの上面と下面に形成された固定用凸部を、ランプリフレクター両端部の上面板と下面板に形成された固定用穴に嵌合させることのみで、ランプソケットをランプリフレクターの両端部に位置決めして固定しているため、ランプソケットを固定する際に固定用凸部が固定用穴にきっちりと嵌合しなかったり、ランプリフレクターアッセンブリを組み込んだ後に固定用凸部が固定用穴から外れたりして、ランプソケットが位置ずれしやすいという問題があった。
【０００８】
しかも、上述した従来の液晶モジュールは、バックライトユニットの導光板の側端面とリアフレームの側板との間にランプリフレクターアッセンブリを挿入して、ランプリフレクターをビスでリアフレームに取付固定しているため、面倒なビス止め工程が必要になる分だけ組立作業性の低下やコストアップを招くという問題があり、メンテナンスでランプ交換をする際にも手間がかかるという問題があった。
【０００９】
同様に、上記特許文献１の照明装置も、ソケット本体の上面と下面に突設された係止突起を、ランプリフレクター両端部の上面板と下面板に形成された係止孔に嵌入させることによって、ソケット本体を位置決めしてランプリフレクターの両端部に取付けているため、ソケットが位置ずれしやすいという問題があった。
【００１０】
また、上記特許文献２の照明装置のように、リフレクタに形成された取付穴に管状光源の両端のソケットを挿入し、取付穴の周縁部をソケット外周の環状溝に嵌め込んで取付けたものは、ソケットの取付安定性や作業性が良くないという問題があり、しかも、このような取付構造は、通常の断面コ字形の細長いランプリフレクターの端部にソケットを取付ける場合には不向きであった。
【００１１】
また、上記特許文献３の液晶表示装置のように、２個のランプリフレクタを同時に１本のネジで金属ケースに固定したものは、使用するネジの本数は減るけれども、やはり面倒なネジ止め工程が必要であるため組立作業性が良くなく、メンテナンスでランプ交換をする際にも手間がかかるという問題があった。
【００１２】
そして、上記特許文献４の液晶表示装置のように、ランプカバーに形成された突出部を、モールドフレームの対応位置に形成された受け孔に通し、突出部先端をかしめて取付固定するものは、面倒なビス止め工程は不要になるけれども、かしめ工程が必要になるため、組立作業性の向上やコストダウンを図ることが難しく、しかも、メンテナンスの際にランプカバーを容易に取り外せないという問題があった。
【００１３】
本発明は上記事情の下になされたもので、その解決しようとする課題は、ランプソケットの位置ずれをより確実に防止することができ、面倒なビス止め工程が不要で組立作業性の向上とコストダウンを図ることができ、メンテナンスでランプ交換をする際の手間も軽減することができる液晶モジュールを提供することにある。
【課題を解決するための手段】
【００１４】
上記課題を解決するため、本発明の液晶モジュールは、上面板と側面板と下面板とを備えた断面がコ字形のランプリフレクターの内側に冷陰極管を配置すると共に、冷陰極管の両端のランプソケットをランプリフレクターの両端部に固定してランプリフレクターアッセンブリを構成し、液晶パネルの背後に設けられるバックライトユニットの導光板の側端面と該導光板を収容するリアフレームの側板との間に上記ランプリフレクターアッセンブリをその長さ方向に挿入して取付けた液晶モジュールにおいて、上記ランプリフレクターの両端部の上面板と下面板の少なくとも一方に固定用穴を形成し、これに対応して上記ランプソケットの上面と下面の少なくとも一方に形成した固定用凸部を上記固定用穴に嵌合させると共に、上記ランプリフレクターの側面板の長さ方向両端部の上下中間部分を側面板の両端から側面板の長さ方向に切り欠いて該切り欠き部分の上縁と下縁に相対向させて形成した爪片を、これに対応して上記ランプソケットの上面と下面に該爪片の嵌挿方向に形成した溝形スリットに嵌挿させて、上記ランプソケットを上記ランプリフレクターの両端部に固定し、上記ランプリフレクターの挿入方向後端側の端部に固定された上記ランプソケットの側面に突設した係止爪を、これに対応して上記リアフレームの側板に形成した被係止孔に係止させて、上記ランプリフレクターアッセンブリを取付けたことを特徴とするものである。
【００１６】
また、本発明の液晶モジュールにおいては、ランプソケットが、ランプリフレクターの端部に嵌め込まれるソケット本体と、このソケット本体から側方に張り出す張出部とを一体に形成し、ソケット本体と張出部との境界部分の上面と下面に溝形スリットを形成したものであることが望ましく、この溝形スリットの片方の端部は、上記爪片を溝形スリットに嵌挿したときに爪片を当止する閉塞端部となっていることが望ましい。特に、ランプリフレクターの挿入方向後端側の端部に固定されるランプソケットは、該端部に嵌め込まれるソケット本体と、このソケット本体から側方に張り出す張出部とを一体に形成して、ソケット本体と張出部との境界部分の上面と下面に上記溝形スリットを形成すると共に、張出部の側面に上記係止爪を突設したものであることが望ましい。
【発明の効果】
【００１７】
本発明の液晶モジュールのように、ランプソケットの上面と下面の少なくとも一方に形成した固定用凸部を、ランプリフレクターの両端部の上面板と下面板の少なくとも一方に形成した固定用穴に嵌合させると共に、ランプリフレクターの側面板の長さ方向両端部の上下中間部分を側面板の両端から側面板の長さ方向に切り欠いて該切り欠き部分の上縁と下縁に相対向させて形成した爪片を、ランプソケットの上面と下面に該爪片の嵌挿方向に形成した溝形スリットに嵌挿させて、ランプソケットをランプリフレクターの両端部に固定すると、ランプソケットが固定用穴に嵌合した固定用凸部によって位置決めされることに加えて、溝形スリットに嵌挿された爪片によってランプソケットがランプリフレクターの幅方向（ランプリフレクターの側面板と直交する方向）にも位置決めされるため、従来の液晶モジュールに比べてランプソケットの位置ずれをより確実に防止することができる。
【００１８】
しかも、本発明の液晶モジュールのように、ランプリフレクターの挿入方向後端側の端部に固定されたランプソケットの側面に突設した係止爪を、これに対応して上記リアフレームの側板に形成した被係止孔に係止させて、上記ランプリフレクターアッセンブリを取付けると、ランプリフレクターの取付作業が簡単で、従来の面倒なネジ止め工程が不要となり、部品点数及び組立工数が減少するので、組立作業性の向上とコストダウンを図ることができる。そして、メンテナンスでランプ交換をする場合は、係止爪を治具でプッシュして被係止穴から外し、ランプリフレクターアッセンブリを引き抜いて簡単にランプ交換をすることができるので、従来の液晶モジュールに比べてランプ交換に要する手間も軽減できるようになる。
【００１９】
また、本発明の液晶モジュールのように、ランプリフレクターの側面板の長さ方向両端部の上下中間部分を側面板の両端から側面板の長さ方向に切り欠いて該切り欠き部分の上縁と下縁に爪片を相対向させて二つ形成し、これに対応してランプソケットの上面と下面に溝形スリットを二つ形成してあると、爪片と溝形スリットを一つずつ形成する場合に比べて、溝形スリットに嵌挿された二つの爪片によってランプソケットが上下均等にランプリフレクターの幅方向に位置決めされるので、位置ずれ防止効果が更に顕著となる。
【００２０】
また、ランプソケットが、ランプリフレクターの端部に嵌め込まれるソケット本体と、このソケット本体から側方に張り出す張出部とを一体に形成し、ソケット本体と張出部との境界部分の上面と下面に溝形スリットを形成したものであると、溝形スリットにランプリフレクターの爪片を嵌挿させながらソケット本体をランプリフレクターの端部に嵌め込むときに、溝形スリットがガイドスリットの役目を果たし、ソケット本体がランプリフレクターの端部内面に沿ってランプリフレクターの長さ方向にまっすぐ案内されるため、ランプソケットの嵌込み作業を容易かつ正確に行うことができるようになり、ランプソケットの固定用凸部をランプリフレクターの固定用穴に簡単かつ確実に嵌合できるようになる。そして、ランプソケットの張出部は、ランプリフレクターアッセンブリを導光板の側端面とリアフレームの側板との間に挿入して組み込むときにスペーサの役目を果たし、ランプリフレクターの側面板とリアフレームの側板との間に隙間が確保されるため、ランプリフレクターアッセンブリの挿入抵抗が減少して組込み作業がしやすくなる。
【００２１】
更に、溝形スリットの片方の端部が、ランプリフレクターの爪片を溝形スリットに嵌挿したときに爪片を当止する閉塞端部に形成されていると、上記のようにランプリフレクターアッセンブリを挿入して組み込むときに、爪片が閉塞端部に当たってランプソケットがランプリフレクターの端部から奥側へ押し込まれないため、一層確実にランプソケットの位置ずれを防止できるようになる。
【００２２】
ランプリフレクターの挿入方向後端側の端部に固定されるランプソケットとしては、該端部に嵌め込まれるソケット本体と、このソケット本体から側方に張り出す張出部とを一体に形成して、ソケット本体と張出部との境界部分の上面と下面に上記溝形スリットを形成すると共に、張出部の側面に上記係止爪を突設したものが適しており、このようなランプソケットを使用すると、上述した作用効果を得ることができる。
【発明を実施するための最良の形態】
【００２３】
以下、図面を参照して本発明の具体的な実施形態を詳述する。
【００２４】
図１は本発明の一実施形態に係る液晶モジュールの断面図、図２は同液晶モジュールの概略分解斜視図、図３は同液晶モジュールのランプリフレクターの挿入方向後端側の端部とランプソケットを示す斜視図、図４は同液晶モジュールのランプリフレクターアッセンブリを組み込むところを示す部分斜視図、図５はランプリフレクターの挿入方向後端側の端部に固定されるランプソケットの平面図、図６は同ランプソケットの左側面図、図７は同ランプソケットの右側面図、図８は図５のＡ−Ａ線断面図、図９はランプリフレクターの挿入方向先端側の端部に固定されるランプソケットの平面図、図１０はランプリフレクターアッセンブリの挿入方向後端部分の断面図である。
【００２５】
この液晶モジュールは、図１、図２に示すように、板金製の偏平な方形箱状のリアフレーム１の内部に、光反射シート２と導光板３が重ねられて収容されており、その上から合成樹脂製の方形枠状のフレーム４がリアフレーム１に被嵌されて取付けられている。そして、リアフレーム１の手前の側板１ｂの両端に設けられた凹欠部１ｃ，１ｃと、これに対応して合成樹脂製のフレーム４の手前の側板の両端に設けられた凹欠部４ａ，４ａとが重なって形成される左右一対の挿入口から、左右一対のランプリフレクターアッセンブリ５，５が、導光板４の左右の側端面とリアフレーム１の左右の側板１ａ，１ａとの間に挿入されて取付けられており、これによってサイドエッジライト方式のバックライトユニットが構成されている。
【００２６】
このバックライトユニットの導光板３の上には、光拡散シート６やプリズムシート７などの光学シートが重ねられており、更に、合成樹脂製のフレーム４の上には、液晶パネル８が該フレーム４の開口部４ｂを覆うように重ねられて取付けられている。そして、この液晶パネル８の上から、金属製の方形枠状のベゼル９が合成樹脂製のフレーム４に被嵌されて、液晶モジュールが構成されている。このベゼル９の手前の側板の両端には凹欠部９ａ，９ａが形成されており、それぞれの凹欠部９ａからランプリフレクターアッセンブリ５のランプソケット５３の円筒部５３ｃと電線ケーブル５５ｂが引き出されている。
【００２７】
この実施形態の液晶モジュールでは、方形枠状のフレーム４やベゼル９を使用しているが、二分割したＬ形のフレームやベゼルを使用したり、四分割した直状のフレームやベゼルを使用してもよいことは言うまでもない。
【００２８】
上記のランプリフレクターアッセンブリ５は、図２に示すように、断面がコ字形のランプリフレクター５１の内側に冷陰極管５２を配置し、冷陰極管５２の両端のランプソケット５３，５４をランプリフレクター５１の両端に固定したものであって、ランプリフレクター５１の開放された側面部分が導光板３の側端面と対向するように、導光板３の側端面とリアフレーム１の左右の側板１ａ，１ａとの間に挿入されて取付けられている。従って、冷陰極管５２からの直射光やランプリフレクター５１で反射された反射光が、ランプリフレクター５１の開放された側面部分を通って導光板３の左右の側端面から該導光板３に入射し、この光が直接あるいは光反射シート２で反射されて導光板３の表面（上面）から出光し、光拡散シート６で拡散されると共に、プリズムシート７で指向性が高められて、液晶パネル８を背後から照射するため、高輝度で明暗のムラがない鮮明な液晶表示を視認できるようになっている。
【００２９】
このランプリフレクターアッセンブリ５について更に詳しく説明すると、図３に示すように、ランプリフレクター５１の挿入方向後端側の端部の上面板５１ａと下面板５１ｂには、長方形の固定用穴５１ｃ，５１ｃが上下に相対向する位置関係となるように形成されている。そして、ランプリフレクター５１の側面板５１ｄの長さ方向両端部の上下中間部分が側面板の両端から側面板の長さ方向に切り欠かれて切り欠き部分５１ｅが設けられており、この切り欠き部分５１ｅの上縁と下縁に爪片５１ｆ，５１ｆが相対向して形成されている。上記の固定用穴５１ｃ，５１ｃは、ランプリフレクター５１の反対側の端部（挿入方向先端側の端部）の上面板と下面板にも形成されており、また、上記の爪片５１ｆ，５１ｆは、ランプリフレクター５１の反対側端部の側面板に設けた切り欠き部分の上縁と下縁にも形成されている。
【００３０】
ランプリフレクター５１の挿入方向後端側の端部（以下、後端部という）に固定されるランプソケット５３は、図３、図５〜図８、図１０に示すように、電気絶縁性合成ゴムなどのエラストマーによって、ランプリフレクター５１の後端部に嵌め込まれる直方体形状のソケット本体５３ａと、ソケット本体５３ａから側方へ張り出す張出部５３ｂと、ソケット本体５３ａから後方へ突き出す円筒部５３ｃを一体に形成したものであり、ソケット本体５３ａの上面と下面には、ランプリフレクター５１の前記固定用穴５１ｃ，５１ｃに嵌合される偏平な長方形の固定用凸部５３ｄ，５３ｄが形成されている。そして、ソケット本体５３ａと張出部５３ｂとの境界部分の上下両面には、ランプリフレクター５１の前記爪片５１ｆ，５１ｆを嵌挿させる上下一対の溝形スリット５３ｅ，５３ｅが形成されており、それぞれの溝形スリット５３ｅの片方の端部５３ｆ（後端側の端部）は、前記爪片５１ｆを嵌挿させたときに前記爪片５１ｆを当止する閉塞端部となっている。
【００３１】
このランプソケット５３の張出部５３ｂの側面には、平面視直角三角形の係止爪５３ｇが突設されており、この係止爪５３ｇは、ランプリフレクターアッセンブリ５を導光板３の側端面とリアフレーム１の側板１ａとの間に挿入したとき、側板１ａに形成された方形の被係止穴１ｄ（図２，図４を参照）に係止して、ランプリフレクターアッセンブリ５の抜止めの役目を果たすようになっている。また、ランプソケット５３の張出部５３ｂには、ランプリフレクター５１の挿入方向先端側の端部（以下、先端部という）に固定されたランプソケット５４から引き出された電線ケーブル５５ｂ（図２，図４を参照）を通す貫通孔５３ｉが形成されている。
【００３２】
図６，図８，図１０に示すように、ランプソケット５３のソケット本体５３ａには空洞部５３ｈが形成されており、この空洞部５３ｈに冷陰極管５２の端部が挿入されている。そして、ランプソケット５３の円筒部５３ｃに挿通された電線ケーブル５５ａの先端の露出電線と冷陰極管５２の端子５２ａが、この空洞部５３ｈの内部においてハンダ５６で接続されている。
【００３３】
上記のランプソケット５３は、溝形スリット５３ｅ，５３ｅにランプリフレクター５１の爪片５１ｆ,５１fを嵌挿させながら、図１０に示すようにソケット本体５３ａをランプリフレクター５１の後端部に嵌め込み、ソケット本体５３ａの上面と下面に形成された固定用凸部５３ｄ，５３ｄを、ランプリフレクター５１の後端部の上面板と下面板に形成された固定用穴５１ｃ，５１ｃに嵌合させると共に、爪片５１ｆ，５１ｆを溝形スリット５３ｅ，５３ｅの閉塞端部５３ｆ，５３ｆで当止することによって、ランプリフレクター５１の後端部に取付けられている。
【００３４】
上記のように取付けると、ランプソケット５３が固定用穴５１ｃ，５１ｃに嵌合した固定用凸部５３ｄ，５３ｄによって位置決めされることに加えて、溝形スリット５３ｅ，５３ｅに嵌挿された爪片５１ｆ，５１ｆによってランプソケット５３がランプリフレクター１の幅方向（ランプリフレクターの側面板５１ｄと直交する方向）にも位置決めされるため、従来品に比べてランプソケット５３の位置ずれをより確実に防止することが可能となる。また、ランプソケット５３を取付けるときに、爪片５１ｆ，５１ｆを嵌挿させる溝形スリット５３ｅ，５３ｅがガイドスリットの役目を果たし、ソケット本体５３ａがランプリフレクター５１の後端部内面に沿ってランプリフレクター５１の長さ方向にまっすぐ案内されるため、ランプソケットの取付作業を容易かつ正確に行えるようになり、ランプソケット５３の固定用凸部５３ｄ，５３ｄをランプリフレクター５１の固定用穴５１ｃ，５１ｃに簡単かつ確実に嵌合できるようになる。
【００３５】
また、ランプリフレクター５１の先端部に固定されるランプソケット５４は、係止爪５３ｇと円筒部５３ｃが形成されていない点を除いて、上記ランプソケット５３とほぼ同様に構成されている。即ち、このランプソケット５４は、図９に示すように、電気絶縁性合成ゴムなどのエラストマーによって、ランプリフレクター５１の後端部に嵌め込まれるソケット本体５４ａと、ソケット本体５４ａから側方へ張り出す張出部５４ｂを一体に形成したものであり、ソケット本体５４ａの上面と下面には、ランプリフレクター５１の先端部の固定用穴５１ｃに嵌合される固定用凸部５４ｄが形成されている。そして、ソケット本体５４ａと張出部５４ｂとの境界部分の上下両面には、ランプリフレクター５１の先端部の爪片５１ｆを嵌挿させる上下一対の溝形スリット５４ｅが形成されており、それぞれの溝形スリット５４ｅの片方の端部５４ｆは、前記爪片５１ｆを当止する閉塞端部となっている。このソケット本体５４ａの空洞部には冷陰極管５２の端部が挿入されており、この冷陰極管５２の端子５２ａにハンダ５６で接続された電線ケーブル５５ｂが張出部５４ｂの引出孔から引き出されて、図４に示すように前記ランプソケット５３の張出部５３ｂの貫通孔５３ｉを貫通している。
【００３６】
このランプソケット５４も、前記ランプソケット５３と同様に、溝形スリット５４ｅにランプリフレクター５１の先端部の爪片を嵌挿させながら、ソケット本体５４ａをランプリフレクター５１の先端部に嵌め込み、ソケット本体５４ａの固定用凸部５４ｄをランプリフレクター５１の先端部の固定用穴に嵌合させると共に、上記爪片を溝形スリット５４ｅの閉塞端部５ｆで当止することによって、ランプリフレクター５１の先端部に位置ずれしないように取付けられている。
【００３７】
以上のように冷陰極管５２の両端のランプソケット５３，５４をランプリフレクター５１の後端部と先端部に取付固定して組み立てられたランプリフレクターアッセンブリ５は、図１，図４に示すように、ランプリフレクター５１の開放された側面部分を導光板３の側端面に対向させて、導光板３の左右の側端面とリアフレーム１の左右の側板１ａとの間に挿入され、ランプリフレクターアッセンブリ５の挿入方向先端面がリアフレーム１の奥側の側板１ｅ（図２を参照）に当接した状態で、ランプソケット５３の係止爪５３ｇがリアフレームの左右の側板１ａの被係止穴１ｄに係止されて、抜け出し不能に取付けられる。このとき、ランプソケット５３，５４の張出部５３ｂ，５４ｂはスペーサの役目を果たし、ランプリフレクター５１の側面板５１ｄとリアフレーム１の側板１ａとの間に隙間が確保されるため、ランプリフレクターアッセンブリ５の挿入抵抗が減少して挿入作業がしやすくなる。また、ランプリフレクター５１の爪片５１ｆがランプソケット５３の溝形スリット５３ｅの閉塞端部５３ｆに当たってランプソケット５３がランプリフレクター５１の後端部から奥側へ押し込まれないため、ランプソケット５３の位置ずれ防止がより確実となる。
【００３８】
尚、図４では合成樹脂製のフレームを省略しているが、ランプリフレクターアッセンブリ５を取付けるときには合成樹脂製のフレーム４がリアフレーム１に被着されており、リアフレーム１の凹欠部１ｃと合成樹脂製のフレーム４の凹欠部４ａ（図２を参照）が重なって形成される挿入口からランプリフレクターアッセンブリ５が挿入されるので、該アッセンブリ５の上下方向の位置は双方のフレーム１，４によって規制され、傾きを生じるようなことはない。
【００３９】
この液晶モジュールは、既述したようにランプリフレクターアッセンブリ５のランプソケット５３，５４の位置ずれを確実に防止することができ、しかも、上記のようにネジなどを一切使用することなくランプリフレクターアッセンブリ５の取付作業を簡単かつ確実に行うことができるので、従来の面倒なネジ止め工程が不要となり、部品点数及び組立工数が減少して、組立作業性の向上とコストダウンを図ることが可能となる。また、メンテナンスでランプ交換をする場合は、係止爪５３ｇを治具でプッシュして被係止穴１ｄから外し、ランプリフレクターアッセンブリ５を引き抜いて簡単にランプ交換をすることができるので、従来の液晶モジュールに比べてランプ交換に要する手間も軽減できるようになる。
【図面の簡単な説明】
【００４０】
【図１】本発明の一実施形態に係る液晶モジュールの断面図である。
【図２】同液晶モジュールの概略分解斜視図である。
【図３】同液晶モジュールのランプリフレクターの挿入方向後端側の端部とランプソケットを示す斜視図である。
【図４】同液晶モジュールのランプリフレクターアッセンブリを組み込むところを示す部分斜視図である。
【図５】ランプリフレクターの挿入方向後端側の端部に固定されるランプソケットの平面図である。
【図６】同ランプソケットの左側面図である。
【図７】同ランプソケットの右側面図である。
【図８】図５のＡ−Ａ線断面図である。
【図９】ランプリフレクターの挿入方向先端側の端部に固定されるランプソケットの平面図である。
【図１０】ランプリフレクターアッセンブリの挿入方向後端部分の断面図である。
【符号の説明】
【００４１】
１    リアフレーム
１ａ  リアフレームの左右の側板
１ｄ  被係止穴
２    光反射シート
３    導光板
４    合成樹脂製のフレーム
５    ランプリフレクターアッセンブリ
５１  ランプリフレクター
５１ａ  ランプリフレクターの上面板
５１ｂ  ランプリフレクターの下面板
５１ｃ  固定用穴
５１ｄ  ランプリフレクターの側面板
５１ｅ  切り欠き部分
５１ｆ  爪片
５２  冷陰極管
５３，５４  ランプソケット
５３ａ，５４ａ  ソケット本体
５３ｂ，５４ｂ  張出部
５３ｄ，５４ｄ  固定用凸部
５３ｅ，５４ｅ  溝形スリット
５３ｆ，５４ｆ  閉塞端部
５３ｇ  係止爪
６    光拡散シート
７    プリズムシート
８    液晶パネル
９    ベゼル
【図１】
0004412358.tif 000002
【図２】
0004412358.tif 000003
【図３】
0004412358.tif 000004
【図４】
0004412358.tif 000005
【図５】
0004412358.tif 000006
【図６】
0004412358.tif 000007
【図７】
0004412358.tif 000008
【図８】
0004412358.tif 000009
【図９】
0004412358.tif 000010
【図１０】
0004412358.tif 000011